(57)【要約】【課題】  表示品質を向上させるとともに商品性を向上させることができ、しかも標準電波を受信できない場合であっても正確な時刻を表示することが可能な電波時計装置を提供する。【解決手段】  時刻情報を含む標準電波を受信する受信手段３と、受信手段３を介して得た前記時刻情報に基づいて基準クロック信号を計数して求めた時刻を修正するマイクロコンピュータ１とを備える電波時計装置Ｔにおいて、周囲温度を検出する温度検出手段４を備え、マイクロコンピュータ１は、温度検出手段４から温度情報に基づいて前記標準電波の受信間隔を可変したものである。【選択図】  図１
2008151724.tif 000002
【特許請求の範囲】
【請求項１】
時刻情報を含む標準電波を受信する受信手段と、前記受信手段を介して得た前記時刻情報に基づいて基準クロック信号を計数して求めた時刻を修正する制御手段とを備える電波時計装置において、
周囲温度を検出する温度検出手段を備え、前記制御手段は、前記温度検出手段から温度情報に基づいて前記標準電波の受信間隔を可変してなることを特徴とする電波時計装置。
【請求項２】
前記制御手段は、第１の温度情報閾値が設定され、前記温度検出手段からの温度情報が前記第１の温度情報閾値より大きいもしくは以上である場合に前記標準電波の受信間隔を狭めることを特徴とする請求項１に記載の電波時計装置。
【請求項３】
前記制御手段は、第２の温度情報閾値が設定され、前記温度検出手段からの温度情報が前記第２の温度情報閾値より小さいもしくは以下である場合に前記標準電波の受信間隔を狭めることを特徴とする請求項１に記載の電波時計装置。
【請求項４】
前記制御手段は、前記時刻の誤差の累積が所定時間未満となるように前記受信間隔を定めたことを特徴とする請求項２もしくは請求項３に記載の電波時計装置。
【請求項５】
前記制御手段は、前記標準電波を受信できない場合に、前記温度情報に基づいて予め定められた補正値に基づいて時刻を修正することを特徴とする請求項１に記載の電波時計装置。
【請求項６】
前記受信間隔は、午前零時を基準としてなることを特徴とする請求項１に記載の電波時計装置。
【請求項７】
前記受信間隔は、最後に前記時刻を修正した時点を基準としてなることを特徴とする請求項１に記載の電波時計装置。
【発明の詳細な説明】
【技術分野】
【０００１】
本発明は、時刻情報を含む標準電波を受信して時刻を修正する電波時計装置に関するものである。
【背景技術】
【０００２】
従来の電波時計装置は、特許文献１に開示されているものがある。この電波時計装置は、時刻情報を含む標準電波を受信する受信手段と、基準クロック信号を計数して求められた時刻を前記受信手段を介して得た前記時刻情報に基づいて修正する制御手段とを備えたものである。この電波時計装置は温度センサを備え、この温度センサからの温度情報に基づく時刻誤差が１秒以上になると標準電波の受信を開始し、時刻補正を行うものである。
【特許文献１】特開２００２−９８７８１号公報
【発明の開示】
【発明が解決しようとする課題】
【０００３】
しかしながら、このような電波時計装置は、時刻誤差が所定時間（例えば、１秒）以上にならないと時刻修正を行わないため、標準電波を受信して正確な時刻を表示するシステムでありながら、実際に所定時間以上の誤差を表示してしまい、表示品質に欠けるとともに商品性を向上させることができないといった問題を有している。
【０００４】
また、このような電波時計装置を車両用表示装置の時計装置に適用した場合、車両が移動する度に標準電波の受信状況が異なってくることから、標準電波の受信が困難な環境が受信のタイミングと重なった場合に時刻誤差が更に大きくなるといった問題点を有している。
【０００５】
そこで、本発明は前述した問題点に着目し、表示品質を向上させるとともに商品性を向上させることができ、また、標準電波を受信できない場合であっても正確な時刻を表示することが可能な電波時計装置を提供することを目的とする。
【課題を解決するための手段】
【０００６】
本発明では、請求項１に記載のように、時刻情報を含む標準電波を受信する受信手段と、前記受信手段を介して得た前記時刻情報に基づいて基準クロック信号を計数して求めた時刻を修正する制御手段とを備える電波時計装置において、周囲温度を検出する温度検出手段を備え、前記制御手段は、前記温度検出手段から温度情報に基づいて前記標準電波の受信間隔を可変してなるものである。
【０００７】
また、請求項２に記載のように、前記制御手段は、第１の温度情報閾値が設定され、前記温度検出手段からの温度情報が前記第１の温度情報閾値より大きいもしくは以上である場合に前記標準電波の受信間隔を狭めるものである。
【０００８】
また、請求項３に記載のように、前記制御手段は、第２の温度情報閾値が設定され、前記温度検出手段からの温度情報が前記第２の温度情報閾値より小さいもしくは以下である場合に前記標準電波の受信間隔を狭めるものである。
【０００９】
また、請求項４に記載のように、前記制御手段は、前記時刻の誤差の累積が所定時間未満となるように前記受信間隔を定めたものである。
【００１０】
また、請求項５に記載のように、前記制御手段は、前記標準電波を受信できない場合に、前記温度情報に基づいて予め定められた補正値に基づいて時刻を修正するものである。
【００１１】
また、請求項６に記載のように、前記受信間隔は、午前零時を基準としてなるものである。
【００１２】
また、請求項７に記載のように、前記受信間隔は、最後に前記時刻を修正した時点を基準としてなるものである。
【発明の効果】
【００１３】
以上、本発明によれば、所期の目的を達成することができ、表示品質を向上させるとともに商品性を向上させることができ、また、標準電波を受信できない場合であっても正確な時刻を表示することが可能な電波時計装置を提供することができる。
【発明を実施するための最良の形態】
【００１４】
本発明の請求項１に記載による電波時計装置１は、時刻情報を含む標準電波を受信する受信手段３と、受信手段３を介して得た前記時刻情報に基づいて基準クロック信号を計数して求めた時刻を修正するマイクロコンピュータ１とを備える電波時計装置Ｔにおいて、周囲温度を検出する温度検出手段４を備え、マイクロコンピュータ１は、温度検出手段４から温度情報に基づいて前記標準電波の受信間隔を可変したものである。このように構成することにより、温度情報に基づいて標準電波を受信する間隔を可変してなることから、利用者が時刻誤差を確認する前に誤差を修正することができ、表示品質を向上させるとともに商品性を向上させることが可能な電波時計装置を提供することができる。
【００１５】
また、請求項２に記載の発明によれば、マイクロコンピュータ１は、第１の温度情報閾値が設定され、温度検出手段４からの温度情報が前記第１の温度情報閾値以上である場合に前記標準電波の受信間隔を狭めるものである。このように構成することにより、雰囲気の温度が高温（例えば６０℃以上）であることに依存して誤差が大きくなる水晶振動子の発振周波数温度特性を考慮し、標準電波の受信間隔を狭めることによって時刻の修正頻度を上げ、誤差の表示なく正確な時刻を表示させることができ、表示品質を向上させるとともに商品性を向上させることが可能な電波時計装置を提供することができる。
【００１６】
また、請求項３に記載の発明によれば、マイクロコンピュータ１は、第２の温度情報閾値が設定され、温度検出手段４からの温度情報が前記第２の温度情報閾値以下である場合に前記標準電波の受信間隔を狭めるものである。このように構成することにより、雰囲気の温度が低温（例えば、−１０℃以下）であることに依存して誤差が大きくなる水晶振動子の発振周波数温度特性を考慮し、標準電波の受信間隔を狭めることによって時刻の修正頻度を上げ、誤差の表示なく正確な時刻を表示させることができ、表示品質を向上させるとともに商品性を向上させることが可能な電波時計装置を提供することができる。
【００１７】
また、請求項４に記載の発明によれば、マイクロコンピュータ１は、前記時刻の誤差の累積が所定時間未満となるように前記受信間隔を定めたものである。このように構成することにより、標準電波の受信間隔を誤差が所定時間（１秒未満）となるように受信間隔を設定するため、誤差の表示なく正確な時刻を表示させることができ、表示品質を向上させるとともに商品性を向上させることが可能な電波時計装置を提供することができる。
【００１８】
また、請求項５に記載の発明によれば、マイクロコンピュータ１は、前記標準電波を受信できない場合に、温度情報に基づいて予め定められた補正値に基づいて時刻を修正するものである。このように構成することにより、標準電波を受信できない環境にあっても、温度情報に基づいて予め定めた補正値を用いて時刻を修正できるため、車両用のような標準電波を受信しにくい環境下に好適であり、表示品質を向上させるとともに商品性を向上させることができ、また、標準電波を受信できない場合であっても正確な時刻を表示することが可能な電波時計装置を提供することができる。
【００１９】
また、請求項６に記載の発明によれば、前記受信間隔は、午前零時を基準としてなる
ものである。このように構成することにより、午前零時を基準とすることで次の受信までの時間を計数することなく受信間隔の時刻を定めることができ、設定を簡単に行うことができ、表示品質を向上させるとともに商品性を向上させることが可能な電波時計装置を提供することができる。
【００２０】
また、請求項７に記載の発明によれば、前記受信間隔は、最後に前記時刻を修正した時刻を基準としてなるものである。このように構成することにより、受信成功時の時刻を基準とすることでより所定時間（例えば、１秒）未満となるようにする受信間隔の設定を行いやすくなり、表示品質を向上させるとともに商品性を向上させることができ、しかも標準電波を受信できない場合であっても正確な時刻を表示することが可能な電波時計装置を提供することができる。
【実施例１】
【００２１】
以下、図１から図３を用いて本発明の第１実施例を説明する。
【００２２】
本発明の電波時計装置Ｔは、制御手段であるマイクロコンピュータ１と、時刻を表示する表示手段２と、アンテナ３ａを介して標準電波を受信する受信手段３と、周囲温度を検出する温度検出手段４と、操作手段であるスイッチ５と、表示手段２を駆動する駆動手段である表示用インターフェイス６と、基準クロック信号を発振する水晶振動子７と、記憶手段であるＲＯＭ８とを備えている。
【００２３】
表示手段２は液晶表示素子や有機ＥＬ素子あるいは冷陰極表示素子で構成されている。
【００２４】
受信手段３は、タイムコードと呼ばれる時刻情報を含む４０ＫＨｚの長波からなる標準電波を受信するものである。
【００２５】
温度検出手段４は、例えば、サーミスタ等の温度センサからなり、電波時計装置Ｔの周囲温度を測定し、マイクロコンピュータ１に測定値である温度情報を提供するものである。
【００２６】
スイッチ５は、利用者が操作することで、電波時計装置Ｔの時刻を合わせたり受信動作を開始する操作を行うことができるものである。なお、本実施例では、操作手段はスイッチであったが、利用者が操作できるものであれば、どのような操作手段でもよい。
【００２７】
表示用インターフェイス６は、表示手段２に表示させる為のドライバ（駆動装置）である。
【００２８】
水晶振動子７は、マイクロコンピュータ１が計数処理し時刻を求めるために、基準クロック信号をマイクロコンピュータ１に送るものである。本実施例の水晶振動子７の周波数は、３２．７６８ｋＨｚである。
【００２９】
ＲＯＭ８は、周囲の温度が高温であるか否かを温度情報に基づいて判断するための第１の温度情報閾値として、４０℃、５５℃及び６０℃という３つの温度情報閾値を記憶している。また、周囲の温度が低温であるか否かを温度情報に基づいて判断するための第２の温度情報閾値として、−１０℃、−５℃及び５℃という３つの温度情報閾値を記憶している。また、温度検出手段４で検出された温度情報と温度情報閾値との比較判定によって、変動する受信間隔の設定値を予め記憶している。本実施例では、温度情報の判定によって、受信間隔の設定値としては、１２時間、６時間、４時間及び１時間の４つの設定値を記憶している。また、温度に対する水晶振動子の時刻の誤差を計算式として、予め記憶している。計算式は、時刻の誤差（秒／１日当たり）＝（現在の温度−２５）２×０．０４×１０−６×８６４００である。この式に温度検出手段４で検出された温度情報を代入して求める。なお、記憶手段としては、ＲＯＭに限定されるものではなく、例えば、消去可能なＥＥＰＲＯＭ等の不揮発メモリ等でもよい。
【００３０】
制御手段であるマイクロコンピュータ１は、水晶振動子７の発振する基準クロック信号を計数して時刻を求めるものであり、また、受信手段３から得られる時刻情報を基に時刻を補正する処理を実行するものである。また、温度検出手段４より得られた測定値である温度情報を基に、ＲＯＭ８に記憶されている所定の間隔で受信手段３を受信処理させるものである。また、表示用インターフェイス６を介して表示手段２に時刻表示させ、スイッチ５によって利用者からの時刻修正や強制受信操作等を受け付ける。
【００３１】
次に、温度情報に基づくマイクロコンピュータ７の受信間隔を設定する処理を図２を用いて説明する。この処理は、受信時に実行される。
【００３２】
ステップＳ２１で、マイクロコンピュータ１は、サーミスタ４から温度情報を取得する。
【００３３】
ステップＳ２２で、マイクロコンピュータ１は、サーミスタ４から得られた温度情報が、１０℃以上４０℃未満の範囲であるか否かを判断する。前記の温度の範囲でなければステップＳ２３へ進み、前記の温度の範囲であればステップＳ２５へ進む。
【００３４】
ステップＳ２３で、マイクロコンピュータ１は、サーミスタ４から得られた温度情報が、−５℃以上１０℃未満あるいは４０℃以上５５℃未満の範囲であるか否かを判断する。前記の温度の範囲でなければステップＳ２４へ進み、前記の温度の範囲であればステップＳ２６へ進む。
【００３５】
ステップＳ２４で、マイクロコンピュータ１は、サーミスタ４から得られた温度情報が、−１０℃以上−５℃未満あるいは５５℃以上６０℃未満の範囲であるか否かを判断する。前記の温度の範囲であればステップＳ２７へ進み、前記の温度の範囲でなければステップＳ２８へ進む。
【００３６】
ステップＳ２５で、マイクロコンピュータ１は、周囲温度が常温であり、水晶振動子７が周囲温度による影響を極力受けないので、受信間隔をＲＯＭ８に予め記憶されている１２時間毎に設定する。設定後、処理を終了する。
【００３７】
ステップＳ２６で、マイクロコンピュータ１は、周囲温度が常温より若干高温あるいは低温であり、水晶振動子７が周囲温度による影響を若干受けるので、受信間隔をＲＯＭ８に予め記憶されている６時間毎に設定する。受信間隔が１２時間毎の設定を標準受信間隔と比較すると、今回の受信間隔の６時間毎は、標準受信間隔に比べて受信間隔が狭められている。また、設定後、処理を終了する。
【００３８】
ステップＳ２７で、マイクロコンピュータ１は、周囲温度が常温より高温あるいは低温であり、水晶振動子７が周囲温度による影響を受けるので、受信間隔をＲＯＭ８に予め記憶されている４時間毎に設定する。受信間隔が１２時間毎の設定を標準受信間隔や前記６時間毎の受信間隔と比較すると、今回の受信間隔の４時間毎は、標準受信間隔や前記６時間間毎の受信間隔に比べて受信間隔が狭められている。また、設定後、処理を終了する。
【００３９】
ステップＳ２８で、マイクロコンピュータ１は、周囲温度が常温より非常に高温あるいは低温であり、水晶振動子７が周囲温度による影響を非常に受けるので、受信間隔をＲＯＭ８に予め記憶されている１時間毎に設定する。前記受信間隔と比較すると、今回の受信間隔の１時間毎は、受信間隔が非常に狭められている。また、設定後、処理を終了する。
【００４０】
以上のように、マイクロコンピュータ１は、温度検出手段４から温度情報を入力し、この温度情報に基づいて受信間隔を可変するものであり、利用者が時刻の累積誤差を確認する前に誤差を修正することができ、表示品質を向上させるとともに商品性を向上させることが可能な電波時計装置を提供することができる。
【００４１】
なお、前記各受信間隔は、水晶発振子７の基準クロック信号を計数して求めた時刻の誤差（ズレ）が所定時間（例えば、１秒未満）となるように設定したものであり、水晶発振子７の温度係数によって、任意に変更可能である。また、周囲温度を判定する温度情報閾値も水晶発振子７の基準クロック信号を計数して求めた時刻の誤差（ズレ）が所定時間（例えば、１秒未満）となるように設定したものであり、時刻の誤差が所定時間未満であれば、任意に変更可能である。
【００４２】
次に、マイクロコンピュータ１の時刻を修正する処理を図３を用いて説明する。
【００４３】
ステップＳ３１で、マイクロコンピュータ１は、標準電波の受信を開始する。本実施例では、午前零時を基準として、受信間隔を決定し受信を開始する。
【００４４】
ステップＳ３２で、マイクロコンピュータ１は、標準電波の受信に成功したかどうかを判断する。受信に失敗した場合は、ステップＳ３３へ進み、受信に成功した場合は、ステップＳ３４に進む。
【００４５】
ステップＳ３３で、マイクロコンピュータ１は、ステップＳ２１で取得した温度からＲＯＭ８に記憶されている温度に対する時刻のズレを前記計算式によって求めた情報を基に時刻を修正し、処理を終了する。
【００４６】
ステップＳ３４で、マイクロコンピュータ１は、標準電波を受信し得られた時刻情報に基づいて時刻を修正し、処理を終了する。
【００４７】
本実施例の電波時計装置Ｔの受信間隔は、午前零時を基準として、受信する動作について説明する。
【００４８】
午前零時を基準として受信間隔を設定するとは、受信間隔が１２時間の場合は、受信する時刻は、午前零時、午後零時である。また、受信間隔が６時間の場合は、受信する時刻は、午前零時、午前６時、午後零時及び午後６時である。また、受信間隔が４時間の場合は、受信する時刻は、午前零時、午前４時、午前８時、午後零時、午後４時及び午後８時である。なお、受信間隔が１時間の場合は説明を省略する。
【００４９】
具体的な動作例を以下に説明する。周囲の気温が０℃で、午前６時に受信動作を行った場合は、気温が０度であるので、受信間隔は４時間毎に設定される。受信間隔が４時間の場合は、受信する時刻は、午前零時、午前４時、午前８時、午後零時、午後４時及び午後８時であり、この時点の時刻は午前６時であるので、次回の受信時刻は、午前８時となる。
【００５０】
この受信する時刻は、予め定められた時刻であるので、マイクロコンピュータ１が時刻を計測する必要がなく、計測するために必要なカウンタなどの装置を必要とせず、マイクロコンピュータ１の構成を簡素化することができる。
【００５１】
なお、前記実施例では、午前零時を基準として受信を開始していたが、前記実施例に限定されるものではなく、時刻を修正した時を基準として、受信間隔を決定してもよい。
【００５２】
なお、前記実施例においては、マイクロコンピュータ１が、水晶振動子７の発振する基準クロック信号を計数して時刻を求めていたが、前記実施例に限定されるものではなく、時刻計数用のＩＣを別に設け、このＩＣから時刻情報を得るものであってもよい。
【００５３】
また、前記実施例においては、第１、第２の温度情報閾値は、それぞれ３つ設定してあったが、前記実施例に限定されるものではなく、任意に設定可能である。また、ある温度情報閾値より大きいもしくは以上かの選択と、ある温度情報閾値より小さいもしくは以下かの選択についても、任意に設定可能である。
【図面の簡単な説明】
【００５４】
【図１】本発明の第１実施例のブロック図。
【図２】同実施例の受信間隔設定処理を示すフローチャート。
【図３】同実施例の時刻修正処理を示すフローチャート。
【符号の説明】
【００５５】
Ｔ        電波時計装置
１        マイクロコンピュータ（制御手段）
２        表示装置（表示手段）
３        受信手段
４        サーミスタ（温度検出手段）
５        スイッチ
６        表示用Ｉ／Ｆ（駆動手段）
７        水晶振動子
８        ＲＯＭ（記憶手段）
【図１】
2008151724.tif 000003
【図２】
2008151724.tif 000004
【図３】
2008151724.tif 000005